(57)【要約】      （修正有）【課題】内箱に商品を納め、さらに該内箱を外箱に収納してなる包装箱において、外箱部を持って商品を移動する時、商品の重量が大きい場合でも、内箱部が外箱部より脱落する恐れをなくした包装箱を提供する。【解決手段】底面部と、内側スリーブ状部を有する内箱部Ａ１で、内側スリーブ状部の内側側面部２０，３０の一部が分離部１４として他の部分と切目線を介して分離可能な内箱部と、内箱部を覆う外箱部Ａで、内側スリーブ状部を構成する各内側側面部に対応して外側側面部を有する外側スリーブ状部と、蓋部とを有し、分離部が設けられた内側側面部に対応した外側側面部には、切目線により形成された片部１２６が分離部３４と接着されている外箱部と、を設けて包装箱を構成する。これにより、外箱部と内箱部の接着をより強固とでき、内箱部に収納された商品の重量が大きい場合でも、商品を収納した内箱部が外箱部から脱落するおそれのない包装箱となる。【選択図】図３
0003167882.tif 000002
【実用新案登録請求の範囲】
【請求項１】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が第１分離部として内側側面部における第１分離部以外の部分である内側側面部本体部とミシン目状の切込みを有する第１切目線を介して分離可能に形成されるとともに、内側正面部の一部が第２分離部として内側正面部における第２分離部以外の部分である内側正面部本体部とミシン目状の切込みを有する第２切目線を介して分離可能に形成され、１枚のシート状のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における第１分離部が設けられた内側側面部に対応した外側側面部に第１分離部が接着され、外側側面部における第１分離部が接着された領域を含みミシン目状の切込み又は連続した切込みを有する第３切目線を介して形成された第１片部が該外側側面部の他の部分に対して回動可能に形成されるとともに、内箱部における第２分離部が設けられた内側正面部に対応した外側正面部に第２分離部が接着され、外側正面部における第２分離部が接着された領域を含みミシン目状の切込みを有する第４切目線を介して形成された第２片部が該外側正面部の他の部分に対して分離可能又は回動可能に形成され、１枚のシート状のブランクにより形成された外箱部と、
を有し、
外側側面部における第１分離部が接着された第１片部を第３切目線を介して第１片部を該外側側面部の他の部分に対して回動させることにより、第１切目線が破断して第１分離部が第１片部に接着した状態のまま内箱部から分離し、
外側正面部における第２分離部が接着された第２片部を第４切目線を破断することにより第４切目線を介して第２片部を該外側正面部の他の部分に対して分離又は回動させることにより、第２切目線が破断して第２分離部が第２片部に接着した状態のまま内箱部から分離することを特徴とする包装箱。
【請求項２】
内側正面部に形成された第２切目線の両側の端部が内側正面部の上端に位置し、内側正面部本体部が上側に切欠部を有し、第２分離部が、内側正面部本体部の切欠部内に第２切目線を介して設けられていることを特徴とする請求項１に記載の包装箱。
【請求項３】
外側側面部において、第３切目線が、横方向に直線状に形成された第１構成部と、第１構成部の両端から下方に形成された第２構成部とを有し、互いに略平行な一対の切込みが第１構成部から上方に形成され、内側側面部において、第１構成部と該一対の切込みを辺部とする押込み片部を内側に押込み可能なように該押込み片部に対応する位置に開口部が形成され、第１切目線が開口部から下側に形成され、第１切目線の両側の端部が、該開口部に接続していることを特徴とする請求項１又は２に記載の包装箱。
【請求項４】
外側正面部には、第４切目線と接続した開口部が形成されていることを特徴とする請求項１又は２又は３に記載の包装箱。
【請求項５】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が第１分離部として内側側面部における第１分離部以外の部分である内側側面部本体部とミシン目状の切込みを有する第１切目線を介して分離可能に形成されるとともに、内側正面部が、上側に切欠部を有する内側正面部本体部と、内側正面部本体部の切欠部内にミシン目状の切込みを有する第２切目線を介して設けられた第２分離部とを有し、第２分離部が、第２切目線を介して内側正面部本体部と分離可能に形成され、１枚のシート状のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における第１分離部が設けられた内側側面部に対応した外側側面部に第１分離部が接着され、外側側面部における第１分離部が接着された領域を含みミシン目状の切込み又は連続した切込みを有する第３切目線を介して形成された第１片部が該外側側面部の他の部分に対して回動可能に形成され、内箱部における第２分離部が設けられた内側正面部に対応した外側正面部に第２分離部が接着され、外側正面部における第２分離部が接着された領域を含みミシン目状の切込みを有する第４切目線を介して形成された第２片部が該外側正面部の他の部分に対して分離可能又は回動可能に形成され、１枚のシート状のブランクにより形成された外箱部と、
を有し、
外側側面部において、第３切目線が、横方向に直線状に形成された第１構成部と、第１構成部の両端から下方に形成された第２構成部とを有し、互いに略平行な一対の切込みが第１構成部から上方に形成され、内側側面部において、第１構成部と該一対の切込みを辺部とする押込み片部を内側に押込み可能なように該押込み片部に対応する位置に開口部が形成され、第１切目線が開口部から下側に形成され、第１切目線の両側の端部が、該開口部に接続しており、
外側正面部には、第４切目線と接続した開口部である第２開口部が形成され、
外側側面部における第１分離部が接着された第１片部を第３切目線を介して第１片部を該外側側面部の他の部分に対して回動させることにより、第１切目線が破断して第１分離部が第１片部に接着した状態のまま内箱部から分離し、
外側正面部における第２分離部が接着された第２片部を第４切目線を介して第２片部を該外側正面部の他の部分に対して分離又は回動させることにより、第２切目線が破断して第２分離部が第２片部に接着した状態のまま内箱部から分離することを特徴とする包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができるものとして特許文献１〜８に示す先行技術文献についての出願を行っている。
【先行技術文献】
【特許文献】
【０００３】
【特許文献１】実用新案登録第３１３９９４８号公報
【特許文献２】実用新案登録第３１４７０８３号公報
【特許文献３】実用新案登録第３１４７０８４号公報
【特許文献４】実用新案登録第３１４７０８５号公報
【特許文献５】実用新案登録第３１４７０８６号公報
【特許文献６】実用新案登録第３１４７１７３号公報
【特許文献７】実用新案登録第３１４８５６６号公報
【特許文献８】実用新案登録第３１５１３５５号公報
【考案の概要】
【考案が解決しようとする課題】
【０００４】
しかし、上記特許文献１〜８に記載の包装箱においては、相対する２つの面において外箱部と内箱部とが接着されているので、外箱部と内箱部の接着がより強固とするのが要望されていた。特に、包装箱の内箱部に商品が収納された状態で、収納された商品の重量が大きい場合には、外箱部のみ持つと商品を収納する内箱部が外箱部から脱落するおそれがある。
【０００５】
そこで、本考案が解決しようとする問題点は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、外箱部と内箱部の接着をより強固とすることができ、内箱部に収納された商品の重量が大きい場合でも、商品を収納した内箱部が外箱部から脱落するおそれのない包装箱を提供することである。
【課題を解決するための手段】
【０００６】
本考案は上記問題点を解決するために創作されたものであって、第１には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が第１分離部として内側側面部における第１分離部以外の部分である内側側面部本体部とミシン目状の切込みを有する第１切目線を介して分離可能に形成されるとともに、内側正面部の一部が第２分離部として内側正面部における第２分離部以外の部分である内側正面部本体部とミシン目状の切込みを有する第２切目線を介して分離可能に形成され、１枚のシート状のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における第１分離部が設けられた内側側面部に対応した外側側面部に第１分離部が接着され、外側側面部における第１分離部が接着された領域を含みミシン目状の切込み又は連続した切込みを有する第３切目線を介して形成された第１片部が該外側側面部の他の部分に対して回動可能に形成されるとともに、内箱部における第２分離部が設けられた内側正面部に対応した外側正面部に第２分離部が接着され、外側正面部における第２分離部が接着された領域を含みミシン目状の切込みを有する第４切目線を介して形成された第２片部が該外側正面部の他の部分に対して分離可能又は回動可能に形成され、１枚のシート状のブランクにより形成された外箱部と、を有し、外側側面部における第１分離部が接着された第１片部を第３切目線を介して第１片部を該外側側面部の他の部分に対して回動させることにより、第１切目線が破断して第１分離部が第１片部に接着した状態のまま内箱部から分離し、外側正面部における第２分離部が接着された第２片部を第４切目線を破断することにより第４切目線を介して第２片部を該外側正面部の他の部分に対して分離又は回動させることにより、第２切目線が破断して第２分離部が第２片部に接着した状態のまま内箱部から分離することを特徴とする。
【０００７】
この第１の構成の包装箱においては、蓋部を開けた状態として、包装箱の上方から複数の被収納物（商品）を内箱部内に収納する。その後、蓋部を閉状態にして、接着テープにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、外側側面部における第１分離部が接着された第１片部を第３切目線を介して外側側面部の他の部分に対して回動させることにより、第１切目線が破断して第１分離部が第１片部に接着した状態のまま内箱部から分離させるとともに、外側正面部における第２分離部が接着された第２片部を第４切目線を介して外側正面部の他の部分に対して分離又は回動させることにより、第２切目線が破断して第２分離部が第２片部に接着した状態のまま内箱部から分離させ、その後、外箱部を上方に引き上げることにより、被収納物を収納した状態で、かつ、分離部が分離した状態の内箱部が残るので、被収納物を内箱部に収納した状態で被収納物を陳列する。
【０００８】
第１の構成の包装箱においては、一対の側面部と正面部の３つの箇所で内箱部が外箱部と接着されているので、外箱部と内箱部の接着をより強固とすることができ、内箱部に収納された商品の重量が大きい場合でも、商品を収納した内箱部が外箱部から脱落するおそれを防止することができる。
【０００９】
また、第２には、上記第１の構成において、内側正面部に形成された第２切目線の両側の端部が内側正面部の上端に位置し、内側正面部本体部が上側に切欠部を有し、第２分離部が、内側正面部本体部の切欠部内に第２切目線を介して設けられていることを特徴とする。
【００１０】
よって、第２分離部を第２切目線を破断して分離すると、内側正面部の上側に切欠部が形成され、内箱部に収納された商品を取り出しやすくすることができる。
【００１１】
また、第３には、上記第１又は第２の構成において、外側側面部において、第３切目線が、横方向に直線状に形成された第１構成部と、第１構成部の両端から下方に形成された第２構成部とを有し、互いに略平行な一対の切込みが第１構成部から上方に形成され、内側側面部において、第１構成部と該一対の切込みを辺部とする押込み片部を内側に押込み可能なように該押込み片部に対応する位置に開口部が形成され、第１切目線が開口部から下側に形成され、第１切目線の両側の端部が、該開口部に接続していることを特徴とする。
【００１２】
よって、開口部により押込み片部を押し込みやすくできるので、第１片部を指に引っ掛けて回動するのを容易とすることができる。また、第１切目線が開口部と連続して形成されているので、第１切目線の長さを短くすることができる。
【００１３】
また、第４には、上記第１から第３までのいずれかの構成において、外側正面部には、第４切目線と接続した開口部が形成されていることを特徴とする。よって、開口部に指を入れることにより第２片部の縁部に指を掛止して、第２片部の分離又は回動を容易とすることができる。
【００１４】
また、第５には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が第１分離部として内側側面部における第１分離部以外の部分である内側側面部本体部とミシン目状の切込みを有する第１切目線を介して分離可能に形成されるとともに、内側正面部が、上側に切欠部を有する内側正面部本体部と、内側正面部本体部の切欠部内にミシン目状の切込みを有する第２切目線を介して設けられた第２分離部とを有し、第２分離部が、第２切目線を介して内側正面部本体部と分離可能に形成され、１枚のシート状のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における第１分離部が設けられた内側側面部に対応した外側側面部に第１分離部が接着され、外側側面部における第１分離部が接着された領域を含みミシン目状の切込み又は連続した切込みを有する第３切目線を介して形成された第１片部が該外側側面部の他の部分に対して回動可能に形成され、内箱部における第２分離部が設けられた内側正面部に対応した外側正面部に第２分離部が接着され、外側正面部における第２分離部が接着された領域を含みミシン目状の切込みを有する第４切目線を介して形成された第２片部が該外側正面部の他の部分に対して分離可能又は回動可能に形成され、１枚のシート状のブランクにより形成された外箱部と、を有し、外側側面部において、第３切目線が、横方向に直線状に形成された第１構成部と、第１構成部の両端から下方に形成された第２構成部とを有し、互いに略平行な一対の切込みが第１構成部から上方に形成され、内側側面部において、第１構成部と該一対の切込みを辺部とする押込み片部を内側に押込み可能なように該押込み片部に対応する位置に開口部が形成され、第１切目線が開口部から下側に形成され、第１切目線の両側の端部が、該開口部に接続しており、外側正面部には、第４切目線と接続した開口部である第２開口部が形成され、外側側面部における第１分離部が接着された第１片部を第３切目線を介して第１片部を該外側側面部の他の部分に対して回動させることにより、第１切目線が破断して第１分離部が第１片部に接着した状態のまま内箱部から分離し、外側正面部における第２分離部が接着された第２片部を第４切目線を介して第２片部を該外側正面部の他の部分に対して分離又は回動させることにより、第２切目線が破断して第２分離部が第２片部に接着した状態のまま内箱部から分離することを特徴とする。
【００１５】
この第５の構成の包装箱においては、蓋部を開けた状態として、包装箱の上方から複数の被収納物（商品）を内箱部内に収納する。その後、蓋部を閉状態にして、接着テープにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、外側側面部における第１分離部が接着された第１片部を第３切目線を介して外側側面部の他の部分に対して回動させることにより、第１切目線が破断して第１分離部が第１片部に接着した状態のまま内箱部から分離させるとともに、外側正面部における第２分離部が接着された第２片部を第４切目線を介して外側正面部の他の部分に対して分離又は回動させることにより、第２切目線が破断して第２分離部が第２片部に接着した状態のまま内箱部から分離させ、その後、外箱部を上方に引き上げることにより、被収納物を収納した状態で、かつ、分離部が分離した状態の内箱部が残るので、被収納物を内箱部に収納した状態で被収納物を陳列する。
【００１６】
第４の構成の包装箱においては、一対の側面部と正面部の３つの箇所で内箱部が外箱部と接着されているので、外箱部と内箱部の接着をより強固とすることができ、内箱部に収納された商品の重量が大きい場合でも、商品を収納した内箱部が外箱部から脱落するおそれを防止することができる。
【００１７】
また、第２分離部を第２切目線を破断して分離すると、内側正面部の上側に切欠部が形成され、内箱部に収納された商品を取り出しやすくすることができる。また、開口部により押込み片部を押し込みやすくできるので、第１片部を指に引っ掛けて回動するのを容易とすることができる。また、第１切目線が開口部と連続して形成されているので、第１切目線の長さを短くすることができる。
【００１８】
また、外側正面部には、第４切目線と接続した第２開口部が形成されているので、開口部に指を入れることにより第２片部の縁部に指を掛止して、第２片部の分離又は回動を容易とすることができる。
【００１９】
なお、上記各構成において、第３切目線がミシン目状の切込みを有し、第１片部を外側側面部の他の部分に対して回動する際に、第３切目線を破断するものとしてもよい。
【考案の効果】
【００２０】
本考案に基づく包装箱によれば、一対の側面部と正面部の３つの箇所で内箱部が外箱部と接着されているので、外箱部と内箱部の接着をより強固とすることができ、内箱部に収納された商品の重量が大きい場合でも、商品を収納した内箱部が外箱部から脱落するおそれを防止することができる。
【図面の簡単な説明】
【００２１】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】本考案の実施例に基づく包装箱の底面図である。
【図５】内箱部の展開図である。
【図６】外箱部の展開図である。
【図７】片部と分離部の位置関係を示す説明図である。
【図８】包装箱を折り畳んだ状態を示す斜視図である。
【図９】包装箱を折り畳んだ際の内箱部の折り畳み状態を示す斜視図である。
【図１０】包装箱の使用状態を示す斜視図である。
【図１１】包装箱の使用状態を示す斜視図である。
【図１２】包装箱の使用状態を示す斜視図である。
【図１３】包装箱の使用状態を示す斜視図である。
【考案を実施するための形態】
【００２２】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、外箱部と内箱部の接着をより強固とすることができ、内箱部に収納された商品の重量が大きい場合でも、商品を収納した内箱部が外箱部から脱落するおそれのない包装箱を提供するという目的を以下のようにして実現した。
【００２３】
本考案に基づく包装箱Ａは、図１〜図８等に示すように構成され、図１〜図３、図１３等に示すように、内箱部Ａ１と、外箱部Ａ２とを有していて、それぞれが１枚のシート状のブランク（具体的には、段ボール、厚紙等）により形成されている。
【００２４】
内箱部Ａ１は、全体に上部が開口した容器状を呈し、図３、図５等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図５に示すように形成されている。
【００２５】
ここで、正面部１０は、全体に方形状（長方形状）の板状を呈し、略コ字状のミシン目状の切目線（第２切目線）１１を介して、本体部（内側正面部本体部）１２と、分離部（第２分離部）１４とから構成されている。すなわち、切目線１１は、ミシン目状の切込み（間隔をおきながら形成された切込み）（切断予定線）から構成され、正面部１０の上端の左側面側から縦方向に形成された切目線１１ａと、切目線１１ａの下端から横方向（水平方向としてもよい。他においても同じ）に形成された切目線１１ｂと、切目線１１ｂの切目線１１ａ側とは反対側の端部から上方に縦方向に形成された切目線１１ｃ（切目線１１ｃは、正面部１０の上端の右側面側から下方に形成されている）とを有し、全体に略コ字状を呈している。切目線１１ａ、１１ｃは、切目線１１ｂとの接続部分を除き、正面部１０と側面部２０間の折れ線や正面部１０と側面部３０間の折れ線と平行に形成され、切目線１１ｂは、切目線１１ａ、１１ｃとの接続部分を除き、正面部１０の下辺と平行に形成されている。なお、切目線１１ａと切目線１１ｂの接続部分には、アールが形成され、切目線１１ｂと切目線１１ｃの接続部分には、アールが形成されている。以上のように、分離部１４を形成する切目線１１の両端は、正面部１０の上端に位置している。
【００２６】
正面部１０において切目線１１により囲まれた領域が分離部１４となり、正面部１０における分離部１４以外の領域（凹状の領域）が、本体部１２となる。
【００２７】
分離部１４は、外箱部Ａ２の片部１１４よりも小さく形成され、具体的には、分離部１４の上下方向の長さは、片部１１４の上下方向の長さよりも小さく形成され、分離部１４の横方向の長さは、片部１１４の横方向の長さと略同一に形成されている。つまり、切目線１１は、外箱部Ａ２の正面部１１０の切目線１１２の下側部分と略同一に形成されている。また、分離部１４が片部１１４に接着した状態では、切目線１１ｂは、切目線１１２ｃと上下方向に略一致（一致としてもよい）した状態となり、切目線１１ａは、切目線１１２ｂと横方向に略一致（一致としてもよい）した状態となり、切目線１１ｃは、切目線１１２ｄと横方向に略一致（一致としてもよい）した状態となっている。
【００２８】
なお、分離部１４の外形が片部１１４の外形よりもはみだすことがないように構成するのが好ましい。つまり、背面視において（特に、内箱部Ａ１の内側から見た状態において）、分離部１４は、片部１１４の輪郭内に配置されるように構成することにより、分離部１４が片部１１４に接着した状態で、片部１１４を回動した際に、分離部１４が外箱部Ａ２に引っかかることがないようにすることができる。
【００２９】
また、分離部１４におけるハッチングで示した領域が、外箱部Ａ２の正面部１１０の片部１１４との接着領域となる。
【００３０】
また、側面部２０は、正面部１０の正面視における右側の端部から折れ線を介して連設され、方形状における上側の一部を三角形状に切り欠いた形状を呈し、その上端は、正面側の傾斜部２０ａと、傾斜部２０ａから背面側に連設された水平部２０ｂとから構成されている。傾斜部２０ａは、背面側にいくほど上方に傾斜して形成されている。
【００３１】
この側面部２０は、本体部２２と、分離部（第１分離部）２４とを有している。すなわち、側面部２０には、四角形状の開口部２２ａと、該開口部２２ａから連設された略コ字状のミシン目状の切目線（第１切目線）２６が形成され、開口部２２ａと切目線２６に囲まれた領域が分離部２４となり、側面部２０における分離部２４以外の領域が本体部２２となる。
【００３２】
ここで、開口部２２ａは、側面部２０における略中央の領域に形成され、横長の長方形状を呈している。この開口部２２ａは、片部１２８を容易に押し込むことができるように、片部１２８の外形よりも大きく形成されている。つまり、片部１２８の外形が、開口部２２ａよりもはみ出すことがない。
【００３３】
また、切目線２６は、開口部２２ａの下端の正面側の端部から下方に連設され、ミシン目状の切込みにより形成された切目線２６ａと、切目線２６ａの下端から背面側に横方向に直線状に形成され、連続した切込みにより形成された切目線２６ｂと、切目線２６ｂの背面側の端部から上方に開口部２２ａの下端の背面側の端部にまで形成され、ミシン目状の切込みにより形成された切目線２６ｃとを有し、切目線２６ａは、正面側に膨出した円弧状を呈し、切目線２６ａの上端と下端は、横方向において同じ位置（略同じ位置としてもよい）に形成されている。また、切目線２６ｃは、背面側に膨出した円弧状を呈し、切目線２６ｃの上端と下端は、横方向において同じ位置（略同じ位置としてもよい）に形成されている。切目線２６ａと切目線２６ｃとは線対称に形成されている。
【００３４】
なお、本体部２２は、四角形状の開口部２２ａと、分離部２４を配置するための開口部を有しているといえる。
【００３５】
この分離部２４の形成位置は、外箱部Ａ２の片部１２６の裏側の領域であり、分離部２４は片部１２６の裏側に接着され、片部１２６を外側に回動させることにより、分離部２４も片部１２６の裏側に接着したまま切目線２６が破断されて、分離部２４が本体部２２から分離するように形成されている。分離部２４は、図７に示すように、片部１２６よりも小さく形成されていて、分離部２４と片部１２６とが接着された状態において、分離部２４の外形が片部１２６の外形よりもはみだすことがない。つまり、側面視において（特に、内箱部Ａ１の内側から見た状態において）、分離部２４は、片部１２６の輪郭内に配置されている。これにより、分離部２４が片部１２６に接着した状態で、片部１２６を回動した際に、分離部２４が外箱部Ａ２に引っかかることがない。
【００３６】
また、分離部２４におけるハッチングで示した領域が、外箱部Ａ２の側面部１２０の片部１２６との接着領域となる。
【００３７】
また、側面部３０は、正面部１０の正面視における左側の端部から折れ線を介して連設され、方形状における上側の一部を三角形状に切り欠いた形状を呈している。この側面部３０は、本体部３２と、分離部（第１分離部）３４とを有している。
【００３８】
この側面部３０の構成は、内箱部Ａ１の組立て状態では、側面部２０と前後方向に垂直な仮想的な平面である中心面を介して対称に形成されていて、本体部３２は本体部２２と対称（展開状態では線対称）に形成され、分離部３４は分離部２４と対称（展開状態では線対称）に形成されている
すなわち、側面部３０には、四角形状の開口部３２ａと、該開口部３２ａから連設された略コ字状のミシン目状の切目線（第１切目線）３６が形成され、開口部３２ａと切目線３６に囲まれた領域が分離部３４となり、側面部３０における分離部３４以外の領域が本体部３２となる。
【００３９】
ここで、開口部３２ａは、側面部３０における略中央の領域に形成され、横長の長方形状を呈している。この開口部３２ａは、片部１３８を容易に押し込むことができるように、片部１３８の外形よりも大きく形成されている。つまり、片部１３８の外形が、開口部３２ａよりもはみ出すことがない。これにより、分離部３４が片部１３６に接着した状態で、片部１３６を回動した際に、分離部３４が外箱部Ａ２に引っかかることがない。
【００４０】
また、切目線３６は、開口部３２ａの下端の正面側の端部から下方に連設され、ミシン目状の切込みにより形成された切目線３６ａと、切目線３６ａの下端から背面側に横方向に直線状に形成され、連続した切込みにより形成された切目線３６ｂと、切目線３６ｂの背面側の端部から上方に開口部３２ａの下端の背面側の端部にまで形成され、ミシン目状の切込みにより形成された切目線３６ｃとを有し、切目線３６ａは、正面側に膨出した円弧状を呈し、切目線３６ｃは、背面側に膨出した円弧状を呈し、切目線３６ａと切目線３６ｃとは線対称に形成されている。
【００４１】
なお、本体部３２は、四角形状の開口部３２ａと、分離部３４を配置するための開口部を有しているといえる。
【００４２】
この分離部３４の形成位置は、外箱部Ａ２の片部１３６の裏側の領域であり、分離部３４は片部１３６の裏側に接着され、片部１３６を外側に回動させることにより、分離部３４も片部１３６の裏側に接着したまま切目線３６が破断されて、分離部３４が本体部３２から分離するように形成されている。分離部３４は、図７に示すように、片部１３６よりも小さく形成されていて、分離部３４と片部１３６とが接着された状態において、分離部３４の外形が片部１３６の外形よりもはみだすことがない。つまり、側面視において（特に、内箱部Ａ１の内側から見た状態において）、分離部３４は、片部１３６の輪郭内に配置されている。これにより、分離部３４が片部１３６に接着した状態で、片部１３６を回動した際に、分離部３４が外箱部Ａ２に引っかかることがない。
【００４３】
また、分離部３４におけるハッチングで示した領域が、外箱部Ａ２の側面部１３０の片部１３６との接着領域となる。
【００４４】
また、背面部４０は、側面部３０の左側面視における左端から折れ線を介して連設され、方形状（長方形状）を呈している。この背面部４０の横幅は、正面部の横幅と同一に形成され、背面部４０の縦幅は、側面部２０、３０の縦幅（最大縦幅）と同一に形成されている。
【００４５】
また、糊代部４２は、背面部４０の背面視における左端から折れ線を介して連設され、縦方向に細長の帯状台形形状を呈している。この糊代部４２は、その外側の面が側面部２０の内側の面に接着されている。
【００４６】
また、底面部５０は、第１片部６０と、第２片部７０と、第３片部８０と、第４片部９０とを有し、包装箱Ａの組立て状態においては、図４に示すように、略方形状を呈している。つまり、底面部５０は、略方形状の外形を有している。
【００４７】
ここで、第１片部６０は、正面部１０の下端から折れ線を介して連設され、略長方形状に形成され、第１片部６０の上面の一部が内箱部Ａ１の内底面の一部を形成している。また、第１片部６０の角部（正面部１０と側面部２０の境界位置の角部）からは第１片部６０の正面部１０との境界をなす辺部に対して斜めに所定間隔で切込みが形成された（つまり、折曲しやすいように切込みが形成されている）折れ線６０−１（この折れ線６０−１は、上面側が山折れ線となっている）が形成され、内箱部Ａ１を折り畳む際に、容易に折り畳むことができるようになっている。第１片部６０は、折れ線６０−１を介して本体部６２と先端部６４とに区画される。本体部６２の先端の先端部６４側には、他方の本体部９２と互いに係止するように切欠部６２ａが形成されている。先端部６４の上面は、第２片部７０の下面に接着されている。
【００４８】
また、第２片部７０は、側面部２０の下端から折れ線を介して連設され、先端側にいくほど幅狭となる略台形形状に形成され、その上面の一部が内箱部Ａ１の内底面の一部を形成している。
【００４９】
また、第３片部８０は、側面部３０の下端から折れ線を介して連設され、先端側にいくほど幅狭となる略台形形状に形成され、その上面の一部が内箱部Ａ１の内底面の一部を形成している。この第３片部８０は、底面部５０の組立て状態においては、第２片部７０と点対称に形成されている。
【００５０】
また、第４片部９０は、背面部４０の下端から折れ線を介して連設され、底面部５０の組立て状態においては、第１片部６０と点対称に形成されている。すなわち、第４片部９０は、背面部４０の下端から折れ線を介して連設され、略長方形状に形成され、第４片部９０の上面の一部が内箱部Ａ１の内底面の一部を形成している。また、第４片部９０の角部（背面部４０と側面部３０の境界位置の角部）からは第４片部９０の背面部４０との境界をなす辺部に対して斜めに所定間隔で切込みが形成された（つまり、折曲しやすいように切込みが形成されている）折れ線９０−１（この折れ線９０−１は、上面側が山折れ線となっている）が形成され、内箱部Ａ１を折り畳む際に、容易に折り畳むことができるようになっている。第４片部９０は、折れ線９０−１を介して本体部９２と先端部９４とに区画される。本体部９２の先端の先端部９４側には、他方の本体部６２と互いに係止するように切欠部９２ａが形成されている。先端部９４の上面は、第３片部８０の下面に接着されている。
【００５１】
内箱部Ａ１を箱状に組み立てた状態（折り畳んだ状態から立体状にした状態）では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部２０との角度を小さくし、背面部４０と側面部３０との角度を小さくさせることにより、図９に示すように、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００５２】
次に、外箱部Ａ２は、内箱部Ａ１を覆う箱体であり、図１〜図３、図６等に示すように、スリーブ状部（外側スリーブ状部）１０５と、上面部１６０、１７０、１８０、１９０とを有していて、その展開状態は、図６に示すように形成されている。
【００５３】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００５４】
ここで、正面部１１０は、方形状（長方形状）の板状を呈している。この正面部１１０の横幅は、内箱部Ａ１を外箱部Ａ２内に収納することができるように、正面部１０の横幅よりも若干大きく形成されている。
【００５５】
正面部１１０の下側領域には、半円状の開口部（第４切目線と接続した開口部）１１１ａと、開口部１１１ａから連設されたミシン目状の切目線（第４切目線）１１２によって囲まれた片部（第２片部）１１４が形成されている。正面部１１０において、片部１１４以外の領域が本体部１１１となる。
【００５６】
すなわち、開口部１１１ａは、下方に膨出した半円状を呈し、横方向の辺部と半円状の円弧により囲まれた形状を呈している。また、切目線１１２は、開口部１１１ａから左側面側に直線状に形成された切目線１１２ａと、切目線１１２ａの左側面側の端部から下方に直線状に形成された切目線１１２ｂと、切目線１１２ｂの下端から右側面側に横方向に直線状に形成された切目線１１２ｃと、切目線１１２ｃの切目線１１２ｂとは反対側の端部から上方に形成された切目線１１２ｄと、切目線１１２ｄの上端から開口部１１１ａに連設された切目線１１２ｅとを有している。切目線１１２ａと、開口部１１１ａの横方向の辺部と、切目線１１２ｅとは、直線状になっている。
【００５７】
なお、切目線１１２ａは、切目線１１２ｂとの接続部分を除き、正面部１１０の下辺と平行に形成され、切目線１１２ｃは、切目線１１２ｂや切目線１１２ｄとの接続部分を除き、正面部１１０の下辺と平行に形成され、切目線１１２ｅは、切目線１１２ｄとの接続部分を除き、正面部１１０の下辺と平行に形成されている。また、切目線１１２ｂは、切目線１１２ａや切目線１１２ｃとの接続部分を除き、正面部１１０と側面部１３０間の折れ線Ｋ１１２と平行に形成され、切目線１１２ｄは、切目線１１２ｅや切目線１１２ｄとの接続部分を除き、正面部１１０と側面部１２０間の折れ線Ｋ１２０と平行に形成されている。なお、切目線１１２ａと切目線１１２ｂの接続部分と、切目線１１２ｂと切目線１１２ｃとの接続部分と、切目線１１２ｃと切目線１１２ｄとの接続部分と、切目線１１２ｄと切目線１１２ｅとの接続部分には、アールが形成されている。
【００５８】
片部１１４は、角部にアールが形成された四角形状の上端に半円状の切欠きが形成された形状であるともいえる。なお、片部１１４の上端に形成された半円状の切欠きは、切目線１１２を破断して、片部１１４を外側に引き出す際に指を掛止するのに使用する。
【００５９】
また、側面部１２０は、正面部１１０の正面視における右側の端部から折れ線Ｋ１２０を介して連設され、方形状を呈している。
【００６０】
側面部１２０の下側の領域には、切目線（第３切目線）１２２と切込み１２４ａ、１２４ｂが形成されている。
【００６１】
ここで、切目線１２２は、略コ字状を呈し、横方向に直線状に形成され（つまり、側面部１２０の下辺と平行に形成された）、連続した切込みにより形成された切目線（第１構成部）１２２ａと、切目線１２２ａの正面側の端部から下方に（つまり、切目線１２２ａと略直角方向に）形成され、ミシン目状の切込みにより形成された切目線（第２構成部）１２２ｂと、切目線１２２ａの背面側の端部から下方に（つまり、切目線１２２ａと略直角方向に）形成され、ミシン目状の切込みにより形成された切目線（第２構成部）１２２ｃとを有し、切目線１２２ａと切目線１２２ｂと切目線１２２ｃにより全体に略コ字状に形成されている。切目線１２２ｂは、正面側に膨出した円弧状を呈し、切目線１２２ｂの上端と下端は、横方向において同じ位置（略同じ位置としてもよい）に形成されている。切目線１２２ｃは、背面側に膨出した円弧状を呈し、切目線１２２ｃの上端と下端は、横方向において同じ位置（略同じ位置としてもよい）に形成されている。切目線１２２ｂと切目線１２２ｃとは線対称に形成されている。また、切目線１２２ｂの下端と切目線１２２ｃの下端とを結ぶ罫線により形成された折れ線１２７が設けられている。この折れ線１２７は、側面部１２０の下辺と平行に形成されている。なお、折れ線１２７を省略してもよい。
【００６２】
また、切目線１２２と、折れ線１２７により囲まれた領域が、片部（第１片部）１２６となる。この片部１２６の内側の面が、分離部２４の外側の面と接着されている。なお、切目線１２２を連続した切込み（連続した１本の切込み）により形成してもよい。
【００６３】
また、切目線１２２ａの横方向の途中位置からは切込み１２４ａ、１２４ｂが連設され、切込み１２４ａ、１２４ｂは、切目線１２２ｂや切目線１２２ｃが設けられている側とは反対側に、縦方向に（つまり、切目線１２２ａと略直角方向に）直線状に互いに平行に連続した切込みにより形成されている。切込み１２４ａ、１２４ｂは、側面部１２０と糊代部１４２間の折れ線Ｋ１２４や折れ線Ｋ１２０と平行に形成され、切込み１２４ａは、切目線１２２ａの正面側の端部近くに形成され、切込み１２４ｂは、切目線１２２ａの背面側の端部近くに形成され、切込み１２４ａと切目線１２２ａの正面側の端部間の長さと、切込み１２４ｂの切目線１２２ａの背面側の端部間の長さは、同一（略同一としてもよい）となっている。切込み１２４ａと切込み１２４ｂの長さは、同一（略同一としてもよい）に形成されている。また、切込み１２４ａの上端と切込み１２４ｂの上端とを結ぶ罫線により形成された折れ線１２９が設けられている。この折れ線１２９は、側面部１２０の下辺と平行に形成されている。なお、折れ線１２９を省略してもよい。
【００６４】
切込み１２４ａと、切込み１２４ｂと、切目線１２２ａの一部（切目線１２２ａにおける切込み１２４ａと切込み１２４ｂ間の部分）と、折れ線１２９により囲まれた領域が、片部（押込み片部）１２８となる。つまり、片部１２８は、切込み１２４ａと、切込み１２４ｂと、切目線１２２ａの一部と、折れ線１２９を辺部としている。片部１２６と分離部２４とが接着された状態においては、側面視において（特に、内箱部Ａ１の内側から見た状態において）、片部１２８は、開口部２２ａの輪郭内に配置されている。これにより、片部１２６を外側に回動させる際に、片部１２８を支障なく内側に押し込むことができる。つまり、片部１２８を押し込む際に、側面部２０が邪魔になることがない。
【００６５】
この側面部１２０の横幅は、内箱部Ａ１を外箱部Ａ２内に収納することができるように、側面部２０の横幅よりも若干大きく形成されている。
【００６６】
なお、正面部１１０と側面部１２０の境界の折れ線Ｋ１２０に沿って、所定間隔で切込みが形成されている。つまり、折曲しやすいように切込みが形成されている。また、側面部１２０と正面部１１０の間の位置における下側には、折れ線Ｋ１２０の延長線上に直線状の切込みＫ１０−１が形成され、切込みＫ１０−１の上端には、略円弧状の切込みＫ１０−２が切込みＫ１０−１と略直角方向に形成されている。
【００６７】
また、側面部１３０は、正面部１１０の正面視における左側の端部から折れ線Ｋ１１２を介して連設され、方形状を呈している。
【００６８】
側面部１３０の下側の領域には、切目線（第３切目線）１３２と切目線１３４ａ、１３４ｂが形成されている。切目線１３２は、切目線１２２と同様の構成であり、切目線１３４ａ、１３４ｂは、切込み１２４ａ、１２４ｂと同様の構成となっている。
【００６９】
ここで、切目線１３２は、略コ字状を呈し、横方向に直線状に形成され（つまり、側面部１３０の下辺と平行に形成された）、連続した切込みにより形成された切目線（第１構成部）１３２ａと、切目線１３２ａの正面側の端部から下方に形成され、ミシン目状の切込みにより形成された切目線（第２構成部）１３２ｂと、切目線１３２ａの背面側の端部から下方に形成され、ミシン目状の切込みにより形成された切目線（第２構成部）１３２ｃとを有し、切目線１３２ａと切目線１３２ｂと切目線１３２ｃにより全体に略コ字状に形成されている。切目線１３２ｂは、正面側に膨出した円弧状を呈し、切目線１３２ｂの上端と下端は、横方向において同じ位置（略同じ位置としてもよい）に形成されている。切目線１３２ｃは、背面側に膨出した円弧状を呈し、切目線１３２ｃの上端と下端は、横方向において同じ位置（略同じ位置としてもよい）に形成されている。切目線１３２ｂと切目線１３２ｃとは線対称に形成されている。また、切目線１３２ｂの下端と切目線１３２ｃの下端とを結ぶ罫線により形成された折れ線１３７が設けられている。この折れ線１３７は、側面部１３０の下辺と平行に形成されている。なお、折れ線１３７を省略してもよい。
【００７０】
また、切目線１３２と、折れ線１３７により囲まれた領域が、片部（第１片部）１３６となる。この片部１３６の内側の面が、分離部３４の外側の面と接着されている。なお、切目線１３２を連続した切込み（連続した１本の切込み）により形成してもよい。
【００７１】
また、切目線１３２ａの横方向の途中位置からは切目線１３４ａ、１３４ｂが連設され、切目線１３４ａ、１３４ｂは、切目線１３２ｂや切目線１３２ｃが設けられている側とは反対側に、縦方向に直線状に互いに平行に連続した切込みにより形成されている。切目線１３４ａ、１３４ｂは、側面部１３０と正面部１１０間の折れ線Ｋ１１２や側面部１３０と背面部１４０間の折れ線Ｋ１１６と平行に形成され、切目線１３４ａは、切目線１３２ａの正面側の端部近くに形成され、切目線１３４ｂは、切目線１３２ａの背面側の端部近くに形成され、切目線１３４ａと切目線１３２ａの正面側の端部間の長さと、切目線１３４ｂの切目線１３２ａの背面側の端部間の長さは、同一（略同一としてもよい）となっている。切目線１３４ａと切目線１３４ｂの長さは、同一（略同一としてもよい）に形成されている。また、切目線１３４ａの上端と切目線１３４ｂの上端とを結ぶ罫線により形成された折れ線１３９が設けられている。この折れ線１３９は、側面部１３０の下辺と平行に形成されている。なお、折れ線１３９を省略してもよい。
【００７２】
切目線１３４ａと、切目線１３４ｂと、切目線１３２ａの一部（切目線１３２ａにおける切込み１３４ａと切込み１３４ｂ間の部分）と、折れ線１３９により囲まれた領域が、片部（押込み片部）１３８となる。つまり、片部１３８は、切込み１３４ａと、切込み１３４ｂと、切目線１３２ａの一部と、折れ線１３９を辺部としている。片部１３６と分離部３４とが接着された状態においては、側面視において（特に、内箱部Ａ１の内側から見た状態において）、片部１３８は、開口部３２ａの輪郭内に配置されている。これにより、片部１３６を外側に回動させる際に、片部１３８を支障なく内側に押し込むことができる。つまり、片部１３８を押し込む際に、側面部３０が邪魔になることがない。
【００７３】
この側面部１３０の横幅は、内箱部Ａ１を外箱部Ａ２内に収納することができるように、側面部３０の横幅よりも若干大きく形成されている。
【００７４】
なお、正面部１１０と側面部１３０の境界の折れ線Ｋ１１２に沿って、所定間隔で切込みが形成されている。つまり、折曲しやすいように切込みが形成されている。また、側面部１３０と正面部１１０の間の位置における下側には、折れ線Ｋ１１２の延長線上に直線状の切込みＫ１１−１が形成され、切込みＫ１１−１の上端には、略円弧状の切込みＫ１１−２が切込みＫ１１−１と略直角方向に形成され、さらに、切込みＫ１１−１の下端には、略円弧状の切込みＫ１１−３が切込みＫ１１−１と略直角方向に形成されている。
【００７５】
また、背面部１４０は、側面部１３０の左側面視における左端から折れ線Ｋ１１６を介して連設され、方形状を呈している。この背面部１４０の横幅は、内箱部Ａ１を外箱部Ａ２内に収納することができるように、背面部４０の横幅よりも若干大きく形成されている。なお、側面部１３０と背面部１４０の境界の折れ線Ｋ１１６に沿って、所定間隔で切込みが形成されている。つまり、折曲しやすいように切込みが形成されている。
【００７６】
また、糊代部１４２は、側面部１２０の右側面視における右端から折れ線（所定間隔で切込みが形成された（つまり、折曲しやすいように切込みが形成されている）直線状の折れ線Ｋ１２４）を介して連設され、縦方向に細長の帯状台形形状を呈している。この糊代部１４２は、図２に示すように、その内側の面が背面部１４０の外側の面に接着されている。
【００７７】
また、正面部１１０と側面部１２０、１３０と背面部１４０の縦幅は同一に形成されていて、内箱部Ａ１の縦幅（最大幅）よりも大きく形成されている。
【００７８】
また、上面部１６０は、正面部１１０の上端から折れ線を介して連設され、方形状（長方形状）の角部を斜めに欠切した形状を呈している。また、上面部１７０は、側面部１２０の上端から折れ線を介して連設され、方形状（長方形状）を呈している。この上面部１７０と上面部１６０との間には隙間が形成されている。また、上面部１８０は、側面部１３０の上端から折れ線を介して連設され、方形状（長方形状）を呈している。この上面部１８０と上面部１６０との間には隙間が形成されている。また、上面部１９０は、背面部１４０の上端から折れ線を介して連設され、方形状（長方形状）の角部を斜めに欠切した形状を呈している。この上面部１９０と上面部１８０との間には隙間が形成されている。
【００７９】
これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。なお、外箱部Ａ２の展開状態においては、図６に示すように、上面部１６０〜１９０における隣接した上面部においては、隙間Ｋ１３４、Ｋ１３６、Ｋ１３８が形成されている。なお、蓋部としての上面部１６０〜１９０はスリーブ状部１０５の上端の各辺から連設されているが、少なくとも１つの上面部から連設されていればよい。
【００８０】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００８１】
次に、内箱部Ａ１と外箱部Ａ２とは、分離部１４、２４、３４の箇所で互いに接着されている。つまり、分離部１４の外側の面と正面部１１０の内側の面とが接着剤その他の接着手段により接着され、分離部２４の外側の面と側面部１２０の内側の面とが接着剤その他の接着手段により接着され、分離部３４の外側の面と側面部１３０の内側の面とが接着剤その他の接着手段により接着されることにより、包装箱Ａが全体に一体に形成される。
【００８２】
つまり、分離部１４の外側の面の一部の領域と正面部１１０の片部１１４の内側の面の一部の領域の間には接着剤層（図示せず）が設けられ、分離部２４の外側の面の一部の領域と側面部１２０の片部１２６の内側の面の一部の領域の間には接着剤層（図示せず）が設けられ、分離部３４の外側の面の一部の領域と側面部１３０の片部１３６の内側の面の間には接着剤層（図示せず）が設けられている。
【００８３】
これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１１４を外側に回動させた際に、同時に分離部１４の周囲の切目線１１が破れて、分離部１４が内箱部Ａ１から分離し、回動させた片部１１４に接着した状態で片部１１４に従動するように設定され、外箱部Ａ２の片部１２６を外側に回動させた際に、同時に分離部２４の周囲の切目線２６が破れて、分離部２４が内箱部Ａ１から分離し、回動させた片部１２６に接着した状態で片部１２６に従動するように設定され、同様に、外箱部Ａ２の片部１３６を外側に回動させた際に、同時に分離部３４の下側の切目線３６が破れて、分離部３４が内箱部Ａ１から分離し、回動させた片部１３６に接着した状態で片部１３６に従動するように設定されている。
【００８４】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部１４、２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００８５】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図８に示すように平板状に折り畳むことができる。
【００８６】
上記構成の包装箱Ａの使用状態について説明する。包装箱Ａを使用しない状況では、上記のように包装箱Ａは平板状に折り畳むことができるので、折り畳んで保管しておく。
【００８７】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【００８８】
そして、図１０に示すように、包装箱Ａの上方から複数の被収納物（商品）Ｇを内箱部Ａ１内に収納する。なお、上面部１６０〜１９０は、予め上方に立設した状態になっていて、外箱部Ａ２の上方が開口した状態になっているので、被収納物Ｇはそのまま包装箱Ａの上方から収納すればよい。その後、上面部１６０〜１９０を閉状態にして、図１１に示すように、接着テープＴを外箱部Ａ２の側面部１２０から上面を経て側面部１３０側にまで接着させることにより、上面部１６０〜１９０を封止する。
【００８９】
以上のようにして、被収納物Ｇを包装箱Ａに包装したら、被収納物Ｇを収納した包装箱Ａを被収納物Ｇを陳列する場所に搬送する。
【００９０】
その後、被収納物Ｇを陳列する場合には、外箱部Ａ２を内箱部Ａ１から分離する。すなわち、図１２に示すように、外箱部Ａ２の側面部１２０の片部１２８を内側に押し込むことにより片部１２６の先端に指を引っかけることができるようにした後に、切目線１２２ｂ、１２２ｃを破断しながら片部１２６を外側に回動させる。つまり、片部１２８を内側に押し込むと、折れ線１２９が回動軸となって片部１２８が内側に回動し、片部１２６の上端を外側に引き出すと、折れ線１２７が回動軸となって外側に回動する。片部１２８を内側に押し込むことにより、容易に片部１２６の先端に指を引っかけることができる。
【００９１】
また、外箱部Ａ２の側面部１３０の片部１３８を内側に押し込むことにより片部１３６の先端に指を引っかけることができるようにした後に、切目線１３２ｂ、１３２ｃを破断しながら片部１３６を外側に回動させる。つまり、片部１３８を内側に押し込むと、折れ線１３９が回動軸となって片部１３８が内側に回動し、片部１３６の上端を外側に引き出すと、折れ線１３７が回動軸となって外側に回動する。片部１３８を内側に押し込むことにより、容易に片部１３６の先端に指を引っかけることができる。
【００９２】
また、正面部１１０における開口部１１１ａに指を引っ掛けて、切目線１１２を破断しながら片部１１４を外側に引き出す。正面部１１０には開口部１１１ａが形成されているので、開口部１１１ａに指を引っ掛けて容易に片部１１４を引きはがすことができる。
【００９３】
すると、外箱部Ａ２の片部１２６を外側に回動させた際に、同時に分離部２４の周囲の切目線２６が破れて、分離部２４が内箱部Ａ１から分離し、回動させた片部１２６に接着した状態で片部１２６に従動し、同様に、外箱部Ａ２の片部１３６を外側に回動させた際に、同時に分離部３４の周囲の切目線３６が破れて、分離部３４が内箱部Ａ１から分離し、回動させた片部１３６に接着した状態で片部１３６に従動し、さらに、外箱部Ａ２の片部１１４を外側に引き出して正面部１１０の本体部１１１から分離した際に、同時に分離部１４の周囲の切目線１１が破れて、分離部１４が内箱部Ａ１から分離し、引き出した片部１１４に接着した状態で片部１１４に従動する。
【００９４】
そして、図１３に示すように、外箱部Ａ２を上方に引き上げることにより、被収納物Ｇを収納した状態で、かつ、分離部１４、２４、３４が分離した状態の内箱部Ａ１が残る。
【００９５】
本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【００９６】
また、本実施例の包装箱Ａによれば、外箱部Ａ２の側面部１２０、１３０の片部１２８、１３８を内側に押し込むことにより片部１２６、１３６の先端に指を引っかけることができるようにした後に、片部１２６、１３６を外側に回動させて、分離部２４、３４を内箱部Ａ１から分離し、また、正面部１１０から片部１１４を分離させることにより、片部１４を正面部１０から分離して、外箱部Ａ２を上方に引き上げるのみで陳列することができるので、陳列作業を容易に行なうことができる。
【００９７】
また、特に、本実施例の包装箱Ａにおいては、分離部１４と分離部２４と分離部３４の３つの箇所で内箱部Ａ１が外箱部Ａ２と接着されているので、外箱部と内箱部の接着をより強固とすることができ、内箱部に収納された商品の重量が大きい場合でも、商品を収納した内箱部が外箱部から脱落するおそれを防止することができる。
【００９８】
また、分離部１４を形成する切目線１１の両端は、正面部１０の上端に位置しているので、分離部１４を切目線１１を破断して分離すると、正面部１０の上側に切欠部が形成され、内箱部Ａ１に収納された商品を取り出しやすくすることができる。
【００９９】
また、開口部２２ａ、３２ａにより片部１２８、１３８を押し込みやすくできるので、片部１２６、１３６を指に引っ掛けて回動するのを容易とすることができる。また、切目線１２２が開口部２２ａと連続して形成され、ループ状の切目線の一部を開口部２２ａで代用しているので、切目線１２２の長さを短くすることができる。同様に、切目線１３２が開口部３２ａと連続して形成され、ループ状の切目線の一部を開口部３２ａで代用しているので、切目線１３２の長さを短くすることができる。
【０１００】
また、特に、本実施例の包装箱Ａにおいては、片部１１４、１２６、１３６がいずれも上端側から引き出す構成となっているので、商品が収納された収納物を持ち上げて搬送する際に、誤って片部１１４、１２６、１３６を回動させてしまうことがない。つまり、仮に、分離部と接着した片部で、回動させるための片部をスリーブ状部１０５の下端から上方に伸びる平行な切込みにより形成した場合には、包装箱Ａを持ち上げる際に該片部の位置を手に持って持ち上げると、誤って 該片部を回動させてしまい、内箱部Ａ１と外箱部Ａ２とを分離させてしまうおそれがあるが、本実施例の包装箱Ａの外箱部Ａ２における片部１２６、１３６は上記のように構成されているので、そのようなおそれがない。
【０１０１】
なお、上記の説明において、片部１１４は正面部１１０の本体部１１１から分離可能に形成されているが、いずれかの辺部を折れ線として、片部１１４が回動するように形成してもよい。例えば、片部１１４を正面部１１０において図６等に示す状態よりも下方に形成して、切目線１１２ｃの箇所を折れ線とし、三方の切目線を破断し片部１１４を該折れ線を介して回動させた際に、分離部１４が正面部１０の本体部１２から分離するようにしてもよい。
【０１０２】
また、上記の説明において、外箱部Ａ２においては、スリーブ状部１０５を構成する正面部１１０と側面部１２０の境界位置に切込みＫ１０−１、Ｋ１０−２が設けられ、正面部１１０と側面部１３０の境界位置に切込みＫ１１−１、Ｋ１１−２、Ｋ１１−３が設けられているとして説明したが、いずれかの同様の構成の切込みを側面部１２０と背面部１４０の境界位置や側面部１３０と背面部１４０の境界位置に設けるようにしてもよい。なお、少なくとも、外箱部Ａ２におけるスリーブ状部１０５を構成する各部（正面部１１０と、側面部１２０、１３０と、背面部１４０）の境界位置における少なくとも２つの境界位置に切込みを設ければ、少なくともスリーブ状部１０５を構成する各部のうちの３つの下端において外側と内側間を移動する余裕ができるので、外箱部Ａ２を内箱部Ａ１に対して容易に引き上げることができる。また、スリーブ状部１０５を構成する各部の境界位置の切込みは、切欠部であってもよい。
【０１０３】
また、内箱部Ａ１の底面部５０において、第１片部６０が正面部１０から連設され、第４片部９０が背面部４０から連設されているとしたが、正面部１１０と背面部１４０の横方向の長さが側面部１２０、１３０の横方向の長さよりも短い場合には、第１片部６０と同様の構成の片部を側面部１２０、１３０から連設させ、第２片部７０と同様の構成の片部を正面部１１０と背面部１４０から連設させるようにしてもよい。
【符号の説明】
【０１０４】
Ａ 包装箱
Ａ１ 内箱部
Ａ２ 外箱部
５、１０５ スリーブ状部
１０、１１０ 正面部
１１、１１ａ、１１ｂ、１１ｃ、２６、２６ａ、２６ｂ、２６ｃ、３６、３６ａ、３６ｂ、３６ｃ、１１２、１１２ａ、１１２ｂ、１１２ｃ、１１２ｄ、１１２ｅ、１２２、１３２  切目線
１２、２２、３２、６２、９２、１１１ 本体部
１４、２４、３４  分離部
２０、３０、１２０、１３０ 側面部
４０、１４０ 背面部
４２、１４２ 糊代部
５０ 底面部
１１４、１２６、１２８、１３６、１３８  片部
１２４ａ、１２４ｂ、１３４ａ、１３４ｂ  切込み
１６０、１７０、１８０、１９０ 上面部
【図１】
0003167882.tif 000003
【図２】
0003167882.tif 000004
【図３】
0003167882.tif 000005
【図４】
0003167882.tif 000006
【図５】
0003167882.tif 000007
【図６】
0003167882.tif 000008
【図７】
0003167882.tif 000009
【図８】
0003167882.tif 000010
【図９】
0003167882.tif 000011
【図１０】
0003167882.tif 000012
【図１１】
0003167882.tif 000013
【図１２】
0003167882.tif 000014
【図１３】
0003167882.tif 000015